(57)【要約】      （修正有）【課題】ユーザが作った料理に対して望まれる内容に応じて修正されたレシピの情報を提供する。【解決手段】レシピ情報提供システムは、評価用レシピに従ってユーザが作った料理の評価結果を取得する取得手段と、ユーザが予め定められたレシピを閲覧する場合に、当該レシピに対する評価結果に基づく修正の情報を提供する提供手段と、を備える。【選択図】図５
2020177468.tif 000002
【特許請求の範囲】
【請求項１】
評価用レシピに従ってユーザが作った料理の評価結果を取得する取得手段と、
ユーザが予め定められたレシピを閲覧する場合に、当該レシピに対する前記評価結果に基づく修正の情報を提供する提供手段と、
を備えるレシピ情報提供システム。
【請求項２】
前記提供手段は、前記レシピの修正箇所について、修正前の内容と修正後の内容とを提供することを特徴とする請求項１記載のレシピ情報提供システム。
【請求項３】
前記提供手段は、前記修正前の内容および前記修正後の内容の何れを前記レシピに適用するかをユーザが選択可能な態様により情報を提供することを特徴とする請求項２記載のレシピ情報提供システム。
【請求項４】
前記評価結果には、前記料理が属する一の属性に対する評価結果が含まれ、
前記予め定められたレシピは、前記料理とは異なる料理であり且つ前記一の属性に属する料理のレシピであることを特徴とする請求項１記載のレシピ情報提供システム。
【請求項５】
前記取得手段は、第１評価用レシピに従ってユーザが作った第１料理の第１評価結果と、第２評価用レシピに従ってユーザが作った第２料理の第２評価結果とを取得し、
前記第１料理は、少なくとも、前記第２料理が属する第１属性と、当該第２料理が属しない第２属性とに属し、
前記提供手段は、前記第１属性に対する評価結果として、前記第１評価結果と前記第２評価結果とが異なる評価結果である場合、当該第１属性と前記第２属性とに属する第３料理のレシピに対する、当該第２評価結果よりも当該第１評価結果を大きく反映した修正の情報を提供することを特徴とする請求項４記載のレシピ情報提供システム。
【請求項６】
前記提供手段は、前記評価結果に基づく情報を、前記ユーザに用いられない端末に提供可能であることを特徴とする請求項１記載のレシピ情報提供システム。
【請求項７】
前記取得手段は、前記料理について複数のユーザの前記評価結果を取得し、
前記提供手段は、前記複数のユーザの前記評価結果を踏まえた最も高い評価に基づく情報を提供することを特徴とする請求項１記載のレシピ情報提供システム。
【請求項８】
コンピュータに、
評価用レシピに従ってユーザが作った料理の評価結果を取得する取得機能と、
ユーザが予め定められたレシピを閲覧する場合に、当該レシピに対する前記評価結果に基づく修正の情報を当該ユーザに用いられる端末に表示させる表示機能と、
を実現させるためのプログラム。
【請求項９】
前記表示機能は、前記修正の情報を、前記レシピのうち修正されていない箇所とは異なる表示態様により前記端末に表示させることを特徴とする請求項８記載のプログラム。
【発明の詳細な説明】
【技術分野】
【０００１】
本発明は、レシピ情報提供システムおよびプログラムに関する。
【背景技術】
【０００２】
例えば特許文献１には、ユーザ端末に入力された情報から特定されるレシピに用いられる材料の分量と、材料ＤＢに設定されている各レシピの材料の分量との比較に基づいて、何れのレシピを対象とした情報をユーザ端末に表示させるかを決定することが開示されている。
【先行技術文献】
【特許文献】
【０００３】
【特許文献１】特許第５６１５４６４号公報
【発明の概要】
【発明が解決しようとする課題】
【０００４】
例えば、ユーザが端末に入力したレシピ名に応じたレシピを端末に表示させることがある。しかしながら、端末に表示されたレシピに従ってユーザが作った料理が望まれる料理でなかった場合であっても、レシピの内容は修正されなかった。
【０００５】
本発明の目的は、ユーザが作った料理に対して望まれる内容に応じて修正されたレシピの情報を提供することにある。
【課題を解決するための手段】
【０００６】
請求項１に記載の発明は、評価用レシピに従ってユーザが作った料理の評価結果を取得する取得手段と、
ユーザが予め定められたレシピを閲覧する場合に、当該レシピに対する前記評価結果に基づく修正の情報を提供する提供手段と、
を備えるレシピ情報提供システムである。
請求項２に記載の発明は、前記提供手段は、前記レシピの修正箇所について、修正前の内容と修正後の内容とを提供することを特徴とする請求項１記載のレシピ情報提供システムである。
請求項３に記載の発明は、前記提供手段は、前記修正前の内容および前記修正後の内容の何れを前記レシピに適用するかをユーザが選択可能な態様により情報を提供することを特徴とする請求項２記載のレシピ情報提供システムである。
請求項４に記載の発明は、前記評価結果には、前記料理が属する一の属性に対する評価結果が含まれ、
前記予め定められたレシピは、前記料理とは異なる料理であり且つ前記一の属性に属する料理のレシピであることを特徴とする請求項１記載のレシピ情報提供システムである。
請求項５に記載の発明は、前記取得手段は、第１評価用レシピに従ってユーザが作った第１料理の第１評価結果と、第２評価用レシピに従ってユーザが作った第２料理の第２評価結果とを取得し、
前記第１料理は、少なくとも、前記第２料理が属する第１属性と、当該第２料理が属しない第２属性とに属し、
前記提供手段は、前記第１属性に対する評価結果として、前記第１評価結果と前記第２評価結果とが異なる評価結果である場合、当該第１属性と前記第２属性とに属する第３料理のレシピに対する、当該第２評価結果よりも当該第１評価結果を大きく反映した修正の情報を提供することを特徴とする請求項４記載のレシピ情報提供システムである。
請求項６に記載の発明は、前記提供手段は、前記評価結果に基づく情報を、前記ユーザに用いられない端末に提供可能であることを特徴とする請求項１記載のレシピ情報提供システムである。
請求項７に記載の発明は、前記取得手段は、前記料理について複数のユーザの前記評価結果を取得し、
前記提供手段は、前記複数のユーザの前記評価結果を踏まえた最も高い評価に基づく情報を提供することを特徴とする請求項１記載のレシピ情報提供システムである。
請求項８に記載の発明は、コンピュータに、
評価用レシピに従ってユーザが作った料理の評価結果を取得する取得機能と、
ユーザが予め定められたレシピを閲覧する場合に、当該レシピに対する前記評価結果に基づく修正の情報を当該ユーザに用いられる端末に表示させる表示機能と、
を実現させるためのプログラムである。
請求項９に記載の発明は、前記表示機能は、前記修正の情報を、前記レシピのうち修正されていない箇所とは異なる表示態様により前記端末に表示させることを特徴とする請求項８記載のプログラムである。
【発明の効果】
【０００７】
本発明によれば、ユーザが作った料理に対して望まれる内容に応じて修正されたレシピの情報を提供することができる。
【図面の簡単な説明】
【０００８】
【図１】レシピ情報提供システムの全体構成例を示す図である。
【図２】サーバおよび端末のハードウェア構成例を示す図である。
【図３】サーバの機能構成例を示した図である。
【図４】レシピ情報管理テーブルを示した図である。
【図５】レシピ修正処理の流れを示したフローチャートである。
【図６】（ａ）は、レシピ選択画面を示した図であり、（ｂ）は、評価用レシピ概要画面を示した図である。
【図７】評価入力画面を示した図である。
【図８】（ａ）は、レシピ選択画面を示した図であり、（ｂ）は、通常レシピ概要画面を示した図である。
【図９】（ａ）は、比較画面を示した図であり、（ｂ）は、通常レシピ概要画面を示した図である。
【図１０】（ａ）は、評価用レシピ概要画面を示した図であり、（ｂ）は、評価入力画面を示した図である。
【図１１】通常レシピ概要画面を示した図である。
【発明を実施するための形態】
【０００９】
以下、添付図面を参照して、本発明の実施形態について詳細に説明する。
＜レシピ情報提供システムの構成＞
図１は、本実施形態に係るレシピ情報提供システム１の全体構成例を示す図である。
本実施形態に係るレシピ情報提供システム１は、レシピに従ってユーザが作った料理の評価結果をレシピに反映させることで、ユーザに合わせたレシピの情報を提供するシステムである。
レシピ情報提供システム１は、サーバ１０と、ユーザが所持する端末２０とを備える。サーバ１０と、端末２０とは、ネットワークを介して接続されている。
【００１０】
サーバ１０は、ユーザに合わせたレシピの情報を提供する。より具体的には、サーバ１０は、評価の対象となる料理を作るためのレシピの情報を、ユーザの端末２０に送信する。評価の対象となる料理を作るためのレシピを、以下では、評価用レシピと称する。また、サーバ１０は、評価用レシピに従ってユーザが作った料理の評価結果を、端末２０から取得する。そして、取得した評価結果に基づいてレシピの情報を修正し、修正したレシピの情報を、端末２０に送信する。
【００１１】
サーバ１０は、例えば、コンピュータにより実現される。サーバ１０は、単一のコンピュータにより構成しても良いし、複数のコンピュータによる分散処理により実現しても良い。また、サーバ１０は、クラウドコンピューティングにより提供される仮想的なハードウェア上にて実現してもよい。
【００１２】
端末２０は、情報を表示する表示部２１を有する。表示部２１は、サーバ１０から受信したレシピの情報を表示する。
端末２０は、例えば、コンピュータ、タブレット型情報端末、その他の情報処理装置により実現される。端末２０は、例えば、スマートフォンであってもよい。端末２０は、何れの種類の端末であってもよい。
【００１３】
サーバ１０と端末２０との接続に用いられるネットワークは、データの送受信が可能であれば、その種類は特に限定されず、例えばインターネット、ＬＡＮ（Local Area Network）、ＷＡＮ（Wide Area Network）等として良い。データの送受信に用いられる通信回線は、有線であっても無線であっても良い。また、複数のネットワークや通信回線を介して各装置を接続する構成としても良い。
【００１４】
なお、図１に示す例では、３つの端末２０を示したが、端末２０の台数は図示の３つには限定されない。レシピ情報提供システム１には、２つ以下の端末２０が設けられてもよいし、４つ以上の端末２０が設けられてもよい。
【００１５】
＜ハードウェア構成例＞
図２は、サーバ１０および端末２０のハードウェア構成例を示す図である。
図２に示すように、サーバ１０および端末２０は、演算手段であるＣＰＵ(Central Processing Unit)１００ａと、主記憶手段であるメモリ１００ｃとを備える。また、各装置は、外部デバイスとして、不揮発性記録デバイス１００ｇ、ネットワークインターフェイス１００ｆ、表示機構１００ｄ、音声機構１００ｈ、キーボードやマウス等の入力デバイス１００ｉ等を備える。
【００１６】
メモリ１００ｃおよび表示機構１００ｄは、システムコントローラ１００ｂを介してＣＰＵ１００ａに接続されている。また、ネットワークインターフェイス１００ｆ、不揮発性記録デバイス１００ｇ、音声機構１００ｈおよび入力デバイス１００ｉは、ブリッジコントローラ１００ｅを介してシステムコントローラ１００ｂと接続されている。各構成要素は、システムバスや入出力バスなどの各種のバスによって接続される。
【００１７】
不揮発性記録デバイス１００ｇには、各機能を実現するためのプログラムが格納されている。そして、このプログラムがメモリ１００ｃにロードされ、このプログラムに基づく処理がＣＰＵ１００ａにより実行されることで、各種の機能が実現される。不揮発性記録デバイス１００ｇとしては、例えば、ＳＳＤ（Solid State Drive）等の半導体メモリやＨＤＤ（Hard Disk Drive）等の磁気ディスク装置などが挙げられる。
【００１８】
＜サーバの機能構成＞
次に、サーバ１０の機能構成について説明する。
図３は、サーバ１０の機能構成例を示した図である。
サーバ１０は、登録受付部１１と、記憶部１２と、出力制御部１３と、レシピ選択受付部１４と、評価受付部１５と、レシピ修正部１６とを備える。
【００１９】
登録受付部１１は、レシピ情報提供システム１の利用者としてのユーザの登録を受け付ける。登録受付部１１は、例えば、ユーザの端末２０から登録の申請を受けると、端末２０へのログインＩＤの付与や、端末２０からの暗証番号の登録の受け付けを行う。そして、ログインＩＤおよび暗証番号が入力された端末２０を操作するユーザを、レシピ情報提供システム１の利用者として登録する。登録受付部１１は、利用者として登録したユーザを識別するユーザ識別情報と、このユーザが操作する端末２０を識別する端末識別情報とを、記憶部１２に送信する。
なお、一の端末２０からの登録の申請により、レシピ情報提供システム１の利用者として複数のユーザが登録されてもよい。
【００２０】
記憶部１２は、登録受付部１１から送信されたユーザ識別情報および端末識別情報を記憶する。より具体的には、記憶部１２は、ユーザ識別情報および端末識別情報を、レシピの情報に関連付けて記憶する。一の端末２０からの登録の申請により複数のユーザが登録されている場合、記憶部１２は、この複数のユーザごとに、個別のレシピの情報を、ユーザ識別情報および端末識別情報に関連付けて記憶する。記憶部１２に記憶されるレシピの情報には、評価用レシピの情報と、評価用レシピとは異なるレシピの情報とが含まれる。評価用レシピとは異なるレシピを、以下では、通常レシピと称する。また、評価用レシピおよび通常レシピを区別しないで説明する場合には、単に「レシピ」と称する。
【００２１】
また、記憶部１２は、評価用レシピに従って作られる料理の評価項目を、評価用レシピの情報に関連付けて記憶する。この評価項目は、評価用レシピごとに設けられている。
また、記憶部１２は、レシピに示された料理が属する属性を、レシピごとに記憶する。
【００２２】
属性としては、例えば、味を有する料理、食材が用いられる料理、量の料理、栄養素を多く含む料理、調理時間を要する料理等が挙げられる。
味を有する料理としては、例えば、「酸味」を有する料理、「辛味」を有する料理、「甘味」を有する料理、「苦味」を有する料理、「塩味」を有する料理等が挙げられる。料理は、特定の「味」を有する場合、この特定の「味」を有する料理に属する。
食材が用いられる料理としては、例えば、特定の「食材」が用いられる料理が挙げられる。料理に特定の「食材」が用いられる場合、この料理は、この特定の「食材」が用いられる料理に属する。
量の料理としては、例えば、レシピに従って作られた料理をユーザが食べた場合に得られるエネルギーが「３００キロカロリー未満」の料理、「３００キロカロリー以上且つ６００キロカロリー未満」の料理、「６００キロカロリー以上」の料理等が挙げられる。料理は、該当する「量」の料理に属する。
栄養素を多く含む料理としては、例えば、「たんぱく質」を多く含む料理、「脂質」を多く含む料理、「炭水化物」を多く含む料理、「無機質」を多く含む料理、「ビタミン」を多く含む料理等が挙げられる。料理は、特定の「栄養素」を多く含む場合、この特定の「栄養素」を多く含む料理に属する。
調理時間を要する料理としては、例えば、調理時間が「３０分未満」の料理、「３０分以上且つ１時間未満」の料理、「１時間以上」の料理等が挙げられる。料理は、該当する「調理時間」の料理に属する。
また、上記の属性とは異なる属性が設けられてもよい。属性の種類、および、何れの料理が何れの属性に属するかは、例えば、サーバ１０にて予め定められてもよい。
【００２３】
提供手段の一例としての出力制御部１３は、端末２０に情報を出力させる。より具体的には、出力制御部１３は、端末２０に対して情報を送信することにより、送信した情報を端末２０の表示部２１に表示させたり、送信した情報を音声により端末２０に出力させたりする。
【００２４】
レシピ選択受付部１４は、ユーザによるレシピの選択を受け付ける。レシピ選択受付部１４は、ユーザが端末２０を操作してレシピを選択すると、レシピを選択したユーザを識別するユーザ識別情報と、ユーザが選択したレシピを識別するレシピ識別情報とを、端末２０から取得する。そして、レシピ選択受付部１４は、取得したユーザ識別情報に関連付けられて記憶部１２に記憶されているレシピの情報のうち、取得したレシピ識別情報から特定されるレシピの情報を出力制御部１３へ送信する。出力制御部１３に送信されたレシピの情報は、ユーザが操作する端末２０の表示部２１に表示される。
【００２５】
また、本実施形態では、評価用レシピがユーザに選択されると、評価用レシピに示された料理に用いられる食材や調味料が、この料理に必要な分量により、ユーザに提供される。食材や調味料のユーザへの提供は、例えば、レシピ情報提供システム１を管理する管理者や、この管理者が業務を委託する者により実現されてもよい。これにより、ユーザ自身が料理に用いられる食材や調味料を調達する場合に比べて、料理に用いられる食材や調味料のばらつきが抑えられる。ただし、ユーザ自身が料理に必要な食材や調味料を調達するようにしてもよい。
【００２６】
取得手段の一例としての評価受付部１５は、評価用レシピに従ってユーザが作った料理の評価を受け付ける。評価受付部１５は、例えば、ユーザが端末２０を操作して評価レシピに示された料理の完成を選択すると、このユーザを識別するユーザ識別情報と、ユーザが操作する端末２０に表示されていた評価用レシピを識別するレシピ識別情報とを、端末２０から取得する。そして、評価受付部１５は、記憶部１２に記憶されている評価項目のうち、取得したレシピ識別情報から識別される評価用レシピと取得したユーザ識別情報とに関連付けられている評価項目を出力制御部１３へ送信する。出力制御部１３に送信された評価項目は、ユーザが操作する端末２０の表示部２１に表示される。
【００２７】
評価項目としては、例えば、作成された料理の味に関する評価項目、作成された料理に用いられた食材に関する評価項目、作成された料理の身体への影響に関する評価項目、および、料理の作成に関する評価項目等が挙げられる。
作成された料理の味に関する評価項目としては、例えば、「味」の程度等が挙げられる。「味」の程度には、例えば、「酸味」の程度、「辛味」の程度、「甘味」の程度、「苦味」の程度、「塩味」の程度等が挙げられる。
作成された料理に用いられた食材に関する評価項目としては、例えば、「食材の量」、「好きな食材」、「嫌いな食材」などが挙げられる。
作成された料理の身体への影響に関する評価項目としては、例えば、「料理の量」、料理に含まれる「栄養素」等が挙げられる。「栄養素」には、例えば、「たんぱく質」、「脂質」、「炭水化物」、「無機質」、「ビタミン」等が挙げられる。
料理の作成に関する評価項目としては、例えば、料理に要する「調理時間」等が挙げられる。
このように、本実施形態では、評価項目として、料理が属する属性に対する評価項目が設けられている。
なお、上記の評価項目とは異なる評価項目が設けられてもよい。評価項目の種類、および、何れのレシピに何れの評価項目が設けられるかは、例えば、サーバ１０にて予め定められてもよい。
【００２８】
また、評価受付部１５は、端末２０にて評価項目に対する評価が入力されると、入力された評価を示す評価情報を、端末２０から取得する。そして、評価受付部１５は、記憶部１２に記憶されている評価項目のうちの端末２０に送信された評価項目に関連付けて、取得した評価情報に示された評価を評価結果として記憶させる。さらに評価受付部１５は、記憶部１２に記憶させた評価結果を示す評価情報と、端末２０に評価を入力したユーザを識別するユーザ識別情報とを、レシピ修正部１６へ送信する。
【００２９】
評価項目に対する評価の具体例としては、以下のものが挙げられる。
「味」の程度に対する評価としては、例えば、「味」が「強過ぎる」、「味」が「弱過ぎる」等が挙げられる。
「食材の量」に対する評価としては、例えば、「食材の量」が「多過ぎる」、「食材の量」が「少な過ぎる」等が挙げられる。
「好きな食材」や「嫌いな食材」に対する評価としては、例えば、料理に用いられた食材のうちの好きな食材や嫌いな食材が挙げられる。
「料理の量」に対する評価しては、例えば、「料理の量」が「多過ぎる」、「料理の量」が「少な過ぎる」等が挙げられる。
「栄養素」に対する評価としては、例えば、「栄養素」が「過剰」、「栄養素」が「不足」等が挙げられる。
「調理時間」に対する評価としては、例えば、「調理時間」が「長過ぎる」等が挙げられる。
また、上記の評価とは異なる評価が設けられてもよい。何れの評価項目に対して何れの評価が入力可能に設けられるかは、例えば、サーバ１０により予め定められてもよい。
【００３０】
レシピ修正部１６は、得られた評価結果に基づいて、レシピの情報を修正する。より具体的には、レシピ修正部１６は、評価受付部１５から評価情報とユーザ識別情報とを取得すると、取得した評価情報から特定される評価結果として記憶部１２に記憶されている評価結果に基づいて、通常レシピの情報を修正する。レシピ修正部１６が修正に用いる評価結果および通常レシピの情報は、レシピ修正部１６が取得したユーザ識別情報に関連付けられて記憶部１２に記憶されている評価結果および通常レシピの情報である。
【００３１】
レシピ修正部１６は、評価が行われた属性に属する料理の通常レシピを、修正の対象とする。一例を挙げると、「辛味」の程度に対する評価結果が得られた場合、レシピ修正部１６は、記憶部１２に記憶されている通常レシピのうちの、「辛味」を有する料理に属する料理の通常レシピを、修正の対象とする。修正の対象となる通常レシピが複数存在する場合、レシピ修正部１６は、この複数の通常レシピの各々について、通常レシピの情報を修正する。なお、修正の対象となる通常レシピを、以下では、対象レシピと称する。また、対象レシピに示された料理を、以下では、対象料理と称する。
【００３２】
レシピ修正部１６は、対象レシピの情報に、評価結果を反映させる。
「味」が「強過ぎる」の評価結果が得られた場合、レシピ修正部１６は、例えば、評価の対象となった「味」を出すために対象料理に用いられる調味料や食材の量を減らすように、対象レシピの情報を修正する。また、「味」が「弱過ぎる」の評価結果が得られた場合、レシピ修正部１６は、例えば、評価の対象となった「味」を出すために対象料理に用いられる調味料や食材の量を増やすように、対象レシピの情報を修正する。
また、「食材の量」が「多過ぎる」の評価結果や、「嫌いな食材」の評価結果が得られた場合、レシピ修正部１６は、例えば、対象料理に用いられる食材のうち評価の対象となった食材の量を減らすように、対象レシピの情報を修正する。また、「食材の量」が「少な過ぎる」の評価結果や、「好きな食べ物」の評価結果が得られた場合、レシピ修正部１６は、例えば、対象料理に用いられる食材のうち評価の対象となった食材の量を増やすように、対象レシピの情報を修正する。
【００３３】
また、「料理の量」が「多過ぎる」の評価結果が得られた場合、レシピ修正部１６は、例えば、対象料理に用いられる各食材および各調味料の量を減らすように、対象レシピの情報を修正する。また、「料理の量」が「少な過ぎる」の評価結果が得られた場合、レシピ修正部１６は、例えば、対象料理に用いられる各食材および各調味料の量を増やすように、対象レシピの情報を修正する。
また、「栄養素」が「過剰」の評価結果が得られた場合、レシピ修正部１６は、例えば、評価の対象となった栄養素を多く含む食材の量や調味料の量を減らすように、対象レシピの情報を修正する。また、「栄養素」が「不足」の評価結果が得られた場合、レシピ修正部１６は、例えば、評価の対象となった栄養素を多く含む食材の量や調味料の量を増やすように、対象レシピの情報を修正する。
また、例えば、「調理時間」が「長過ぎる」の評価結果が得られた場合、レシピ修正部１６は、例えば、対象料理に要する調理時間が短くなるように、対象レシピの情報を修正する。
なお、レシピ修正部１６による修正の態様は、上記の例には限定されない。レシピ修正部１６は、上記の態様とは異なる態様によって対象レシピの情報を修正してもよい。
【００３４】
＜記憶部の記憶内容＞
次に、記憶部１２に記憶されている情報の内容について説明する。
図４は、レシピ情報管理テーブルを示した図である。このレシピ情報管理テーブルは、レシピ情報提供システム１の利用者として登録受付部１１に登録されているユーザごとに設けられている。図４には、「端末Ａ」を操作する「ユーザＢ」のレシピ情報管理テーブルが示されている。
【００３５】
レシピ情報管理テーブルでは、「レシピの種類」に、「評価用レシピ」および「通常レシピ」の何れかの種類が示されている。また、「料理」に、レシピに示された料理の名称が示されている。
【００３６】
また、レシピ情報管理テーブルでは、「属性」に、「料理」が属する属性の種類が示されている。「属性」に示されている「〇」は、「料理」が、対象の「属性」に属することを意味する。また、「属性」に示されている「×」は、「料理」が、対象の「属性」に属しないことを意味する。
図４に示す例では、「麻婆豆腐」および「麻婆茄子」は、「味」を有する料理の具体例である「辛味」を有する料理に属するのに対し、「コロッケ」は、「辛味」を有する料理に属しない。また、「コロッケ」は、「塩味」を有する料理に属するのに対し、「麻婆豆腐」および「麻婆茄子」は、「塩味」を有する料理に属しない。また、「麻婆豆腐」、「コロッケ」、「麻婆茄子」は、何れも、「食材」が用いられる料理の具体例である「ひき肉」が用いられる料理に属する。
【００３７】
また、レシピ情報管理テーブルでは、「評価項目」に、「料理」の評価項目が示されている。より具体的には、「評価項目」には、「料理」が属する属性に対する評価項目が示されている。図４に示す例では、「麻婆豆腐」の「評価項目」には、「麻婆豆腐」が属する「辛味」を有する料理に対する評価項目が示されている。また、「コロッケ」の評価項目には、「コロッケ」が属する「塩味」を有する料理に対する評価項目が示されている。
また、レシピ情報管理テーブルでは、また、「評価結果」に、「料理」の評価結果が示されている。また、「レシピ」に、レシピの内容が示されている。
【００３８】
＜レシピ修正処理＞
次に、レシピ修正処理の流れについて説明する。レシピ修正処理は、サーバ１０が、評価用レシピに従って作られた料理の評価結果に基づいて、通常レシピの情報を修正する処理である。
図５は、レシピ修正処理の流れを示したフローチャートである。
【００３９】
まず、レシピ選択受付部１４は、端末２０にてレシピが選択されたか否かを判定する（Ｓ１０１）。レシピ選択受付部１４は、レシピ識別情報を取得したか否かに基づいて、上記の判定を行う。否定結果が継続している間、レシピ選択受付部１４は、ステップ１０１の判定動作を繰り返す。一方、レシピ選択受付部１４がレシピ識別情報を取得した場合、肯定結果を得てステップ１０２へ進む。
【００４０】
レシピ選択受付部１４は、取得したレシピ識別情報から特定されるレシピが評価用レシピであるか否かを判定する（Ｓ１０２）。
レシピ選択受付部１４に特定されたレシピが評価用レシピである場合（Ｓ１０２にてＹＥＳ）、レシピ選択受付部１４は、該当する評価用レシピの情報を、出力制御部１３を介して、端末２０の表示部２１に表示させる（Ｓ１０３）。
【００４１】
評価受付部１５は、端末２０の表示部２１に表示されている評価レシピに示された料理が完成したか否かを判定する（Ｓ１０４）。評価受付部１５は、端末２０からレシピ識別情報を取得したか否かにより、上記の判定を行う。否定結果が継続している間、評価受付部１５は、ステップ１０４の動作を繰り返す。一方、評価受付部１５がレシピ識別情報を取得した場合、肯定結果を得てステップ１０５へ進む。
【００４２】
評価受付部１５は、評価項目を、出力制御部１３を介して、端末２０の表示部２１に表示させる（Ｓ１０５）。
評価受付部１５は、料理の評価結果を端末２０から取得したか否かを判定する（Ｓ１０６）。評価受付部１５は、評価情報を端末２０から取得したか否かにより、上記の判定を行う。否定結果が継続している間、ステップ１０６の動作を繰り返す。一方、評価受付部１５が評価情報を取得した場合、肯定結果を得てステップ１０７へ進む。
レシピ修正部１６は、評価受付部１５に取得された評価結果に基づいて、対象レシピの情報を修正する（Ｓ１０７）。
【００４３】
一方、レシピ選択受付部１４に特定されたレシピが評価用レシピではない場合（Ｓ１０２にてＮＯ）、レシピ選択受付部１４は、該当する通常レシピの情報を、出力制御部１３を介して、端末２０の表示部２１に表示させる（Ｓ１０８）。なお、この通常レシピの情報が、レシピ修正部１６に修正されている場合、表示部２１には、修正後の通常レシピの情報が表示される。
【００４４】
以上のように、本実施形態では、評価受付部１５は、評価用レシピに従ってユーザが作った料理の評価結果を取得する。また、レシピ修正部１６は、評価受付部１５が取得した評価結果に基づいて、予め定められた通常レシピの情報を修正する。そして、出力制御部１３は、ユーザが予め定められた通常レシピを閲覧する場合に、通常レシピに対する評価結果に基づく修正の情報を提供する。ここで、予め定められた通常レシピは、例えば、対象レシピである。
この場合、例えばユーザがレシピの情報の編集等を行わなくても、端末２０の表示部２１には、料理の評価結果を反映したレシピの情報が表示されるようになる。そのため、レシピを基に料理する場合にユーザの所望する料理を作ることが簡易になる。
【００４５】
＜レシピに関する情報の表示例＞
次に、レシピに関する情報の表示例について説明する。レシピに関する情報は、出力制御部１３によって、端末２０の表示部２１に表示される。
図６（ａ）は、レシピ選択画面４０を示した図であり、図６（ｂ）は、評価用レシピ概要画面５０を示した図である。
図６（ａ）に示したレシピ選択画面４０は、ユーザがレシピを選択するための画面である。レシピ選択画面４０には、評価用レシピ選択部４１と、通常レシピ選択部４２と、全レシピ選択部４３と、評価済マーク４４とが表示されている。
【００４６】
評価用レシピ選択部４１は、評価用レシピの一覧を表示部２１に表示させるためのボタンである。図示の例では、評価用レシピ選択部４１が選択されたことにより、評価用レシピの一覧が表示されている。
通常レシピ選択部４２は、通常レシピの一覧を表示部２１に表示させるためのボタンである。
全レシピ選択部４３は、評価用レシピと通常レシピとを含む全てのレシピの一覧を表示部２１に表示させるためのボタンである。
【００４７】
評価済マーク４４は、評価用レシピに従ってユーザが作った料理をユーザが評価済であることを示す画像である。評価済マーク４４は、ユーザが評価済である料理の項目に対応付けられて表示される。図示の例では、評価済マーク４４は、ユーザが評価済である「パエリア」の項目に対応付けられて表示されている。
【００４８】
ここで、例えば、ユーザが、図６（ａ）に示されている評価用レシピの一覧から、「麻婆豆腐」を選択すると、図６（ｂ）に示すように、「麻婆豆腐」に対応する評価用レシピ概要画面５０が表示される。評価用レシピ概要画面５０は、ユーザに選択された評価用レシピの概要を示す画面である。評価用レシピ概要画面５０には、レシピ識別部５１と、料理識別部５２と、材料リスト５３と、特徴部５４と、回数情報５５と、選択ボタン５６と、戻るボタン５７とが表示されている。
【００４９】
レシピ識別部５１には、表示部２１に表示されているレシピが評価用レシピおよび通常レシピの何れであるかを識別するための情報が示されている。図示の例では、レシピ識別部５１には、「評価用レシピ」の文字が表示されている。
料理識別部５２には、レシピに示された料理を識別するための情報が示されている。図示の例では、料理識別部５２には、「麻婆豆腐」の文字と、麻婆豆腐の画像とが表示されている。
【００５０】
材料リスト５３には、料理に用いられる食材や調味料の名称が、料理に用いられる分量とともに表示されている。また、材料リスト５３は、料理を食べる対象の人数を設定可能に設けられている。ユーザが対象の人数を設定すると、設定された人数に応じた分量が材料リスト５３に表示される。
【００５１】
特徴部５４には、料理の特徴が示されている。具体的には、特徴部５４には、料理の味の特徴、レシピに従って作られた料理をユーザが食べた場合に得られるエネルギー、および、料理に要する調理時間が示されている。図示の例では、特徴部５４には、「麻婆豆腐」が属する味である「辛味」の程度、「麻婆豆腐」が属する料理の量である「３６０キロカロリー／人」、「麻婆豆腐」が属する調理時間である「調理時間２０分」の情報が示されている。そのため、特徴部５４に示されている各項目は、料理が属する属性を示す属性情報として捉えられる。また、材料リスト５３に表示されている各項目も、属性情報として捉えられる。
【００５２】
回数情報５５には、表示されている料理についてユーザが評価を行った回数が示されている。図示の例では、回数情報５５には、ユーザが評価を行っていないことを示す「評価の回数：０回」の文字が示されている。
ユーザが選択ボタン５６を選択すると、表示されている評価用レシピの詳細な情報が端末２０の表示部２１に表示される。さらに、材料リスト５３に表示されている食材と調味料とが、ユーザに提供される。
また、ユーザが戻るボタン５７を選択すると、レシピ選択画面４０が再び表示部２１に表示される。
【００５３】
＜評価入力画面の表示例＞
次に、評価入力画面の表示例について説明する。評価入力画面は、評価用レシピに従ってユーザが作った料理の評価をユーザが入力するための画面である。評価入力画面は、端末２０の表示部２１に表示される。
図７は、評価入力画面６０を示した図である。図７に示した評価入力画面６０は、評価用レシピに従って作られた「麻婆豆腐」の評価入力画面６０である。
【００５４】
評価入力画面６０には、味評価入力部６１と、食材量評価入力部６２と、料理量評価入力部６３と、好きな食材評価入力部６４と、嫌いな食材評価入力部６５と、栄養素評価入力部６６と、調理時間評価入力部６７と、追加ボタン６８と、決定ボタン６９とが表示されている。なお、味評価入力部６１と、食材量評価入力部６２と、料理量評価入力部６３と、好きな食材評価入力部６４と、嫌いな食材評価入力部６５と、栄養素評価入力部６６と、調理時間評価入力部６７とを区別しないで説明する場合には、単に評価入力部と称する。
【００５５】
味評価入力部６１は、味の程度の評価を入力可能に設けられている。
食材量評価入力部６２は、料理に用いられた食材の量の評価を入力可能に設けられている。
料理量評価入力部６３は、料理の量の評価を入力可能に設けられている。
好きな食材評価入力部６４は、料理に用いられた食材のうち好きな食材を入力可能に設けられている。
嫌いな食材評価入力部６５は、料理に用いられた食材のうち嫌いな食材を入力可能に設けられている。
栄養素評価入力部６６は、料理に含まれた栄養素の評価を入力可能に設けられている。
調理時間評価入力部６７は、料理に要した調理時間の評価を入力可能に設けられている。
【００５６】
各評価入力部に表示されている評価項目は、評価用レシピ概要画面５０（図６（ｂ）参照）の材料リスト５３および特徴部５４に表示されている項目に関する評価項目である。そのため、評価用レシピ概要画面５０の材料リスト５３に示されている各項目および特徴部５４に示されている各項目は、評価の対象を示した評価対象情報として捉えられる。
【００５７】
各評価入力部には、追加ボタン６８が設けられている。ユーザが追加ボタン６８を選択すると、対応する評価入力部が一つ追加される。
ユーザが決定ボタン６９を選択すると、各評価入力部に入力された内容が、評価結果としてサーバ１０の評価受付部１５に送信される。
以下では、図示の通り、「麻婆豆腐」の評価入力画面６０にて、味評価入力部６１に「辛味」が「強過ぎる」の評価が入力され、食材量評価入力部６２に「ひき肉の量」が「少な過ぎる」の評価が入力された状態で決定ボタン６９が選択された場合について説明する。
【００５８】
＜修正後のレシピに関する情報の表示例＞
次に、レシピ修正部１６に通常レシピの情報が修正された後におけるレシピに関する情報の表示例について説明する。修正後のレシピに関する情報は、出力制御部１３によって、端末２０の表示部２１に表示される。
図８（ａ）は、レシピ選択画面４０を示した図であり、図８（ｂ）は、通常レシピ概要画面７０を示した図である。
図８（ａ）に示したレシピ選択画面４０においては、通常レシピ選択部４２が選択されており、通常レシピの一覧が表示されている。このレシピ選択画面４０には、修正マーク４５と、食材量修正マーク４６と、味修正マーク４７とが表示されている。
【００５９】
修正マーク４５は、レシピ修正部１６により通常レシピの情報が修正されたことを示すマークである。修正マーク４５は、対象料理の項目に対応付けられて表示される。図示の例では、修正マーク４５は、それぞれ、対象料理である「麻婆豆腐」、「麻婆茄子」、「ミートスパゲティ」の項目に対応付けられて表示されている。
【００６０】
食材量修正マーク４６は、レシピ修正部１６により通常レシピにおける食材の量の情報が修正されたことを示すマークである。食材量修正マーク４６は、食材の量が増えるように情報が修正されたか又は減るように情報が修正されたかを識別可能な態様により表示される。また、食材量修正マーク４６は、食材の量の情報がレシピ修正部１６に修正された対象レシピに係る対象料理の項目に対応付けられて表示される。
図示の例では、食材量修正マーク４６は、それぞれ、対象料理である「麻婆豆腐」、「麻婆茄子」、「ミートスパゲティ」の項目に対応付けられて、食材であるひき肉を示す「肉」の文字と、食材の量が増えたことを示す「上向き矢印」とにより表示されている。すなわち、評価入力画面６０（図７参照）にて「ひき肉の量」の評価が行われたことにより、「ひき肉」が用いられる料理に属している「麻婆豆腐」、「麻婆茄子」、「ミートスパゲティ」の通常レシピの情報が修正されている。
【００６１】
味修正マーク４７は、レシピ修正部１６により通常レシピにおける味の程度の情報が修正されたことを示すマークである。味修正マーク４７は、味の程度が強くなるように情報が修正されたか又は弱くなるように情報が修正されたかを識別可能な態様により表示される。また、味修正マーク４７は、味の程度の情報がレシピ修正部１６に修正された対象レシピに係る対象料理に対応付けられて表示される。
図示の例では、味修正マーク４７は、それぞれ、「麻婆豆腐」、「麻婆茄子」の項目に対応付けられて、味の種類である辛味を示す「辛」の文字と、味の程度が弱くなったことを示す「下向き矢印」とにより表示されている。すなわち、評価入力画面６０（図７参照）にて「辛味の程度」の評価が行われたことにより、「辛味」を有する料理に属している「麻婆豆腐」、「麻婆茄子」の通常レシピの情報が修正されている。
【００６２】
なお、図示の通り、「麻婆豆腐」のレシピは、評価用レシピと通常レシピとに設けられている。このように、一のレシピが評価用レシピおよび通常レシピの両方に設けられることがある。
【００６３】
ここで、例えば、ユーザが、図８（ａ）に示されている通常レシピの一覧から「麻婆茄子」を選択すると、図８（ｂ）に示すように、「麻婆茄子」に対応する通常レシピ概要画面７０が表示される。通常レシピ概要画面７０は、ユーザに選択された通常レシピの概要を示す画面である。通常レシピ概要画面７０には、レシピ識別部７１と、料理識別部７２と、材料リスト７３と、特徴部７４と、修正情報７５と、選択ボタン７６と、戻るボタン７７とが表示されている。
【００６４】
レシピ識別部７１には、表示部２１に表示されているレシピが評価用レシピおよび通常レシピの何れであるかを識別するための情報が示されている。図示の例では、レシピ識別部７１には、「通常レシピ」の文字が表示されている。
料理識別部７２には、レシピに示された料理を識別するための情報が示されている。図示の例では、料理識別部７２には、「麻婆茄子」の文字と、「麻婆茄子」の画像とが表示されている。
【００６５】
材料リスト７３には、料理に用いられる食材や調味料の名称が、料理に用いられる分量とともに表示されている。また、材料リスト７３は、料理を食べる対象の人数を設定可能に設けられている。ユーザが対象の人数を設定すると、設定された人数に応じた分量が材料リスト７３に表示される。
【００６６】
特徴部７４には、料理の特徴が示されている。具体的には、特徴部７４には、料理の味の特徴、レシピに従って作られた料理をユーザが食べた場合に得られるエネルギー、および、料理に要する調理時間が示されている。図示の例では、特徴部７４には、「麻婆茄子」が属する味である「辛味」の程度、「麻婆茄子」が属する料理の量である「４２０キロカロリー／人」、「麻婆茄子」が属する調理時間である「調理時間２０分」の情報が示されている。
【００６７】
修正情報７５には、端末２０の表示部２１に通常レシピの情報が前回表示されたときから、通常レシピの情報が修正されたか否かを示す情報が示されている。図示の例では、修正情報７５には、通常レシピの情報が修正されたことを示す「レシピが前回から変わっています」という文章が表示されている。
【００６８】
また、材料リスト７３および特徴部７４は、レシピ修正部１６に修正された項目が、修正されていない項目とは異なる表示態様により表示されている。具体的には、材料リスト７３および特徴部７４は、レシピ修正部１６に修正された項目が、修正されていない項目よりも太字により表示されている。図示の例では、材料リスト７３の「ひき肉」、「豆板醤」および特徴部７４の「辛味」の文字が、それぞれ太字により表示されている。
【００６９】
また、材料リスト７３および特徴部７４には、レシピ修正部１６に修正された項目に対応付けられて、変化マーク７８が表示されている。変化マーク７８は、レシピ修正部１６によって項目がどのように変化したかが識別可能な態様により表示される。
【００７０】
図示の例では、材料リスト７３の「ひき肉」の項目には、変化マーク７８が、「ひき肉の量」が多くなるように修正されたことを示す「上向き矢印」により表示されている。すなわち、評価入力画面６０（図７参照）にて「ひき肉の量」が「少な過ぎる」の評価が行われたことにより、「ひき肉」が用いられる料理に属している「麻婆茄子」に用いられる「ひき肉の量」が多くなるように、「麻婆茄子」の通常レシピの情報が修正されている。
また、材料リスト７３の「豆板醤」の項目には、変化マーク７８が、豆板醤の量が少なくなるように、言い換えると、「辛味」の程度が弱くなるように修正されたことを示す「下向き矢印」により表示されている。また、特徴部７４の「辛味」の項目には、変化マーク７８が、「辛味」の程度が弱くなるように修正されたことを示す「下向き矢印」により表示されている。すなわち、評価入力画面６０（図７参照）にて「辛味」が「強過ぎる」の評価が行われたことにより、「辛味」を有する料理に属している「麻婆茄子」の「辛味」の程度が弱くなるように、「麻婆茄子」の通常レシピの情報が修正されている。
【００７１】
ここで、例えば、ユーザが、材料リスト７３の「ひき肉」の項目を選択すると、図９（ａ）に示すように、端末２０の表示部２１には、比較画面８０が表示される。この比較画面８０は、ユーザに選択された項目について、レシピ修正部１６に修正される前の内容と修正された後の内容とを比較するための画面である。比較画面８０には、修正前内容８１と、修正後内容８２と、修正前選択ボタン８３と、修正後選択ボタン８４とが表示されている。
【００７２】
修正前内容８１には、レシピ修正部１６に修正される前の項目の内容が表示されている。図示の例では、修正前内容８１には、修正前の「ひき肉の量」である「２００ｇ」の文字が表示されている。
修正後内容８２には、レシピ修正部１６に修正された後の項目の内容が表示されている。図示の例では、修正後内容８２には、修正後の「ひき肉の量」である「２５０ｇ」の文字が表示されている。
【００７３】
ユーザが修正前選択ボタン８３を選択すると、修正前内容８１に表示されている内容がレシピに適用される。この場合、図９（ｂ）に示すように、通常レシピ概要画面７０の材料リスト７３の「ひき肉の量」として、「２００ｇ」の文字が表示される。
また、ユーザが修正後選択ボタン８４を選択すると、修正後内容８２に表示されている内容がレシピに適用される。この場合、通常レシピ概要画面７０の表示内容は、図８（ｂ）に示した内容から変わらない。
【００７４】
図８（ｂ）に示した通常レシピ概要画面７０の説明に戻る。ユーザが選択ボタン７６を選択すると、表示されている通常レシピの詳細な情報が端末２０の表示部２１に表示される。また、ユーザが戻るボタン７７を選択すると、レシピ選択画面４０が再び表示部２１に表示される。
【００７５】
以上のように、本実施形態では、出力制御部１３は、レシピの修正箇所について、修正前の内容と修正後の内容とを提供する。
これにより、ユーザは、修正箇所について、修正前からどのように修正されたかを把握する。
【００７６】
また、本実施形態では、出力制御部１３は、修正前の内容および修正後の内容の何れを通常レシピに適用するかをユーザが選択可能な態様により情報を提供する。
この場合、ユーザは、修正前の内容および修正後の内容を把握した状態で、修正後の内容および修正後の内容の何れをレシピに適用するかを選択する。
【００７７】
また、本実施形態では、評価結果には、対象料理が属する一の属性に対する評価結果が含まれる。
この場合、ユーザによる評価の対象となった料理の属性に属する対象料理の対象レシピに、ユーザの評価結果が反映されるようになる。
【００７８】
また、本実施形態では、出力制御部１３は、修正の情報を、レシピのうち修正されていない箇所とは異なる表示態様により表示する。
この場合、レシピのうち修正されていない箇所と同じ表示態様により修正の情報が表示される場合に比べて、ユーザが修正箇所に気付きやすくなる。
【００７９】
＜一の属性に対して異なる評価結果が得られた場合について＞
次に、料理が属する一の属性について異なる評価結果が得られた場合における対象レシピの内容について説明する。
図１０（ａ）は、「コロッケ」に対応する評価用レシピ概要画面５０を示した図であり、図１０（ｂ）は、「コロッケ」に対応する評価入力画面６０を示した図である。なお、レシピ情報管理テーブル（図４参照）に示したように、「コロッケ」は、「ひき肉」が用いられる料理という、「麻婆豆腐」と共通の属性に属している。一方、「コロッケ」は、「麻婆豆腐」が属する「辛味」を有する料理には属していない。ここで、「ひき肉」が用いられる料理は、第１属性として捉えられ、「辛味」を有する料理は、第２属性として捉えられる。また、「麻婆豆腐」は、少なくとも、第１属性および第２属性に属する第１料理として捉えられ、「コロッケ」は、少なくとも、第１属性に属し第２属性に属しない第２料理として捉えられる。また、「麻婆豆腐」の評価用レシピは、第１評価用レシピとして捉えられ、「コロッケ」の評価用レシピは、第２評価用レシピとして捉えられる。さらに、「麻婆豆腐」の評価結果は、第１評価結果として捉えられ、「コロッケ」の評価結果は、第２評価結果として捉えられる。
【００８０】
図１０（ａ）に示された評価用レシピ概要画面５０にて選択ボタン５６がユーザに選択され、その後、「コロッケ」の料理が完成したことが端末２０にて選択されると、図１０（ｂ）に示す評価入力画面６０が表示される。
ここで、評価入力画面６０にて、食材量評価入力部６２に「ひき肉の量」が「多過ぎる」の評価が入力された状態で決定ボタン６９が選択されたものとする。すなわち、「ひき肉」が用いられる料理という一の属性に対して、「ひき肉の量」が「少な過ぎる」という「麻婆豆腐」の評価結果（図７参照）が得られた後に、「ひき肉の量」が「多過ぎる」という「麻婆豆腐」の評価結果とは異なる「コロッケ」の評価結果が得られたものとする。
【００８１】
図１１は、図７に示した「麻婆豆腐」の評価結果および図１０に示した「コロッケ」の評価結果が得られた場合において、「麻婆茄子」に対応する通常レシピ概要画面７０を示した図である。なお、レシピ情報管理テーブル（図４参照）に示したように、「麻婆茄子」は、「ひき肉」が用いられる料理という、「麻婆豆腐」および「コロッケ」が属する属性に属している。また、「麻婆茄子」は、「辛味」を有する料理という、「麻婆豆腐」が属し「コロッケ」が属しない属性に属している。ここで、「麻婆茄子」は、第３料理として捉えられる。
【００８２】
図１１に示すように、「麻婆茄子」に対応する通常レシピ概要画面７０の材料リスト７３および特徴部７４の表示内容は、「麻婆豆腐」の評価結果が得られた後であって、「コロッケ」の評価結果が得られる前の表示内容（図８（ｂ）参照）から変わっていない。また、通常レシピ概要画面７０には、修正情報７５として、通常レシピの情報が前回表示されたときから修正されていないことを示す「レシピは前回と同じです」の文章が表示されている。
【００８３】
このように、本実施形態では、出力制御部１３は、「ひき肉」が用いられる料理に対する評価結果として異なる二つの評価結果が得られた場合、「麻婆茄子」の通常レシピに対する、「コロッケ」の評価結果よりも「麻婆豆腐」の評価結果を大きく反映した修正の情報を提供する。
【００８４】
なお、本実施形態では、「コロッケ」の評価結果が、「麻婆茄子」に用いられる「ひき肉の量」に反映されない例を説明したが、これに限定されない。
例えば、「麻婆茄子」に用いられる「ひき肉の量」が、「２４０ｇ」になるように修正されてもよい。つまり、「麻婆茄子」に用いられる「ひき肉の量」は、「麻婆豆腐」の評価結果が得られる前の量（図９（ａ）参照）よりも多く、且つ、「麻婆豆腐」の評価結果が得られた後であって「コロッケ」の評価結果が得られる前の量（図９（ａ）参照）よりも少なくなるように修正されてもよい。すなわち、「第３料理のレシピに対する、第２評価結果よりも第１評価結果を大きく反映した修正の情報」には、「第３料理のレシピに対する、第２評価結果を反映しない修正の情報」のみならず、「第３料理のレシピに対する、第２評価結果および第１評価結果を反映した修正の情報」も含まれる。
【００８５】
また、例えば、一の属性に対して異なる二以上の評価結果が得られた場合には、レシピ修正部１６は、対象料理と共通の属性に属する数が最も多い料理の評価結果を、他の評価結果よりも大きく対象レシピに反映させるように対象レシピの情報を修正してもよい。
【００８６】
また、例えば、一の料理の評価結果が得られた後に、他の一の料理の評価結果が得られた場合、レシピ修正部１６は、他の一の料理の評価結果を、一の料理の評価結果よりも大きく対象レシピに反映させるように対象レシピの情報を修正してもよい。すなわち、得られた時期が古い評価結果よりも、得られた時期が新しい評価結果を大きく対象レシピに反映させるように対象レシピの情報を修正してもよい。
【００８７】
また、本実施形態では、評価用レシピに従ってユーザが作った料理が一回評価されると、レシピ修正部１６は、この評価の結果に基づいて対象レシピの情報を修正することを説明したが、これに限定されない。
例えば、評価用レシピに従ってユーザが作った料理の評価結果が得られた回数が予め定められた回数に到達するまでは、対象レシピの情報が修正されないようにしてもよい。予め定められた回数は、例えば３回である。そして、評価結果が得られた回数が予め定められた回数に到達すると、レシピ修正部１６は、得られた複数の評価結果に基づいて、対象レシピの情報を修正するようにしてもよい。この場合に、予め定められた回数の評価結果は、何れも、同一の評価用レシピに従って作られた同一の料理の評価結果であってもよいし、それぞれ異なる評価用レシピに従って作られた異なる料理の評価結果であってもよい。
【００８８】
また、レシピ修正部１６は、通常レシピに従ってユーザが作った料理の評価結果に基づいて、通常レシピの情報を修正してもよい。例えば、通常レシピに従ってユーザが作った料理の完成が端末２０にて選択されると、完成した料理に係る評価入力画面６０（図７参照）に対する評価の入力が可能になる。そして、評価が入力されると、レシピ修正部１６は、得られた評価の結果に基づいて、対象レシピの情報を修正してもよい。そのため、広義には、通常レシピも、評価用レシピとして捉えられる。
また、レシピ修正部１６は、得られた評価結果に基づいて、評価用レシピの情報を修正してもよい。
【００８９】
また、本実施形態では、評価用レシピに従って料理するユーザと、料理の評価を行う評価者が同一である場合について説明したが、これに限定されない。
例えば、評価用レシピに従って料理するユーザの家族が料理の評価を行ってもよい。この場合、通常レシピは、評価結果に基づいて、料理を行ったユーザの家族に合ったレシピに修正される。また、評価用レシピに従ってユーザが作った料理を、このユーザの客が料理の評価を行ってもよい。この場合、通常レシピは、評価結果に基づいて、客に合ったレシピに修正される。
すなわち、評価用レシピに従って料理するユーザと評価者とが異なっていてもよい。
【００９０】
また、出力制御部１３による情報の提供先は、評価者が料理の評価を入力した端末２０に限定されない。例えば、出力制御部１３は、評価者が行った料理の評価結果に基づいて修正された通常レシピの情報や、評価結果から特定される評価者の好みに関する情報等を、評価者の許可に応じて、飲食店の経営者や従業員に用いられる端末２０に提供してもよい。すなわち、本実施形態では、出力制御部１３は、評価結果に基づく情報を、評価者に用いられない端末２０に提供可能である。
この場合、例えば、出力制御部１３から提供された情報を取得した端末２０を用いる飲食店においては、既存のメニューから作られる料理のみならず、提供された情報を用いて、評価者の好みに応じた料理を評価者に提供できるようになる。
【００９１】
また、レシピ修正部１６は、複数の評価者の評価結果に基づいて、この複数の評価者に合わせたレシピになるように通常レシピの情報を修正してもよい。例えば、評価受付部１５は、複数の評価者の評価結果において最も評価が高かった評価項目の評価結果に基づいて、通常レシピの情報を修正してもよい。この場合において、例えば、評価項目ごとに評価結果を数値化し、複数の評価者の評価結果の累積値として最も数値が高い評価項目の評価結果を、最も評価が高い評価結果としてもよい。そして、出力制御部１３は、最も高い評価結果に基づいて修正された通常レシピの情報や、最も高い評価結果から特定される複数の評価者の好みに関する情報等を、評価者が料理の評価を入力した端末２０や、飲食店の経営者や従業員に用いられる端末２０に提供してもよい。すなわち、本実施形態では、評価受付部１５は、料理について複数のユーザの評価結果を取得する。そして、出力制御部１３は、複数のユーザの評価結果を踏まえた最も高い評価に基づく情報を提供する。
この場合、例えば、飲食店にて用いられる端末２０に、複数の評価者の好みに応じたレシピの情報を表示することができる。また、例えば、飲食店にて評価者が料理を注文するときに用いられる端末２０に、複数の評価者の好みを反映した料理として推薦されたメニューを表示することができる。
【００９２】
また、本実施形態では、レシピ修正部１６は、通常レシピのうちの、評価の対象となった属性に属している通常レシピの情報を、修正の対象としたが、これに限定されない。
例えば、レシピ修正部１６は、通常レシピのうちの、評価の対象となった属性と関連する属性に属している通常レシピの情報を、修正の対象としてもよい。一例を挙げると、料理に用いられた「ひき肉の量」の評価が行われた場合に、レシピ修正部１６は、ひき肉とは異なる肉が用いられる料理の通常レシピの情報を、修正の対象としてもよい。
また、例えば、レシピ修正部１６は、評価結果が得られた場合には、全ての通常レシピの情報を修正の対象としてもよい。
【００９３】
また、レシピの情報の修正には、料理の評価結果が用いられるのみならず、他の情報が用いられてもよい。
他の情報としては、例えば、評価者が料理を食べたときの気分や、評価者の性格として端末２０に入力された情報等が挙げられる。また、他の情報としては、評価者の食生活の情報や、評価者が有する食品アレルギーの情報等が挙げられる。
そして、サーバ１０は、端末２０から取得した他の情報に基づいて、レシピの情報を修正してもよい。例えば、サーバ１０は、評価者の気分や評価者の性格を改善するために必要な食材をレシピに加えるように、レシピの情報を修正してもよい。また、評価者の食生活にて不足している食材をレシピに加えるように、レシピの情報を修正してもよい。また、評価者が食品アレルギーを有するために食べられない食材をレシピから除いたり、除いた食材に変わる別の食材をレシピに加えるように、レシピの情報を修正してもよい。
【００９４】
また、本実施形態では、出力制御部１３は、レシピの情報を端末２０の表示部２１に表示させているが、これに限定されない。
例えば、出力制御部１３は、レシピの情報を、音声により端末２０に出力させてもよい。
【００９５】
また、料理の評価結果としては、上記した例よりも多くの段階が設けられてもよい。そして、レシピ修正部１６は、評価結果の段階に応じて、評価結果に基づいて通常レシピの情報を修正する程度を変えてもよい。
【００９６】
また、本実施形態では、サーバ１０が、評価結果を反映させたレシピの情報を提供する構成としたが、これに限定されない。
例えば、端末２０がサーバ１０の機能を有してもよい。言い換えると、端末２０が、サーバ１０の登録受付部１１、記憶部１２、出力制御部１３、レシピ選択受付部１４、評価受付部１５、レシピ修正部１６等の機能を備えることとしてもよい。
【００９７】
また、本発明の実施形態を実現するプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて提供することも可能である。
【００９８】
以上、本発明の実施形態について説明したが、本発明の技術的範囲は上記の実施形態に記載の範囲には限定されない。上記の実施形態に、種々の変更又は改良を加えたものも、本発明の技術的範囲に含まれることは、特許請求の範囲の記載から明らかである。
【符号の説明】
【００９９】
１…レシピ情報提供システム、１０…サーバ、１１…登録受付部、１２…記憶部、１３…出力制御部、１４…レシピ選択受付部、１５…評価受付部、１６…レシピ修正部、２０…端末、２１…表示部
【図１】
2020177468.tif 000003
【図２】
2020177468.tif 000004
【図３】
2020177468.tif 000005
【図４】
2020177468.tif 000006
【図５】
2020177468.tif 000007
【図６】
2020177468.tif 000008
【図７】
2020177468.tif 000009
【図８】
2020177468.tif 000010
【図９】
2020177468.tif 000011
【図１０】
2020177468.tif 000012
【図１１】
2020177468.tif 000013